(57)【要約】【課題】ハウジング５に収容保持された端子３の接続片３１の極細同軸ケーブル１側への延伸方向（Ｘ方向）と、端子３の接触片３２の相手方コネクタ４への挿着方向（Ｙ方向）とが略直角となる同軸コネクタにおいて、コネクタ高さＨを小さくして低背化を図ること。【解決手段】端子３が、その接続片３１と接触片３２の間を順次連結する第１、第２連結片３３、３４を具備し、第１連結片３３の接続片３１との連結部からの延伸方向を接触片３２の延伸方向（Ｙ方向）と略反対方向として、第１連結片３３の長さ（例えば極細同軸ケーブル１の直径と略同一長さ）分だけ、コネクタ高さＨを小さくする。【選択図】  図１
2004259672.tif 000002
【特許請求の範囲】
【請求項１】
端子（３）と、この端子（３）を収容保持する絶縁性のハウジング（５）と、このハウジング（５）の外周側に取付けられる導電性のシェル（９）とを具備し、端子（３）は、一端側に形成された接続片（３１）が同軸ケーブル（１）側へ延伸して内部導体（１１）に接続され、他端側に形成された接触片（３２）が接続片（３１）の延伸方向（Ｘ方向）とほぼ直角方向（Ｙ方向）に延伸して相手方コネクタ（４）への挿着時に対応する接触部と接触する同軸コネクタであって、端子（３）は、接続片（３１）と接触片（３２）の間を順次連結する第１、第２連結片（３３、３４）を具備し、第１連結片（３３）は接続片（３１）との連結部から接触片（３２）の延伸方向（Ｙ方向）とほぼ反対方向に延伸し、第２連結片（３４）は第１連結片（３３）との連結部から接続片（３１）の延伸方向（Ｘ方向）とほぼ反対方向に延伸していることを特徴とする同軸コネクタ。
【請求項２】
ハウジング（５）に収容保持される端子（３）は、各接続片（３１）が複数本の極細の同軸ケーブル（１）の対応する内部導体（１１）に接続される複数の端子（３）からなり、前記複数本の同軸ケーブル（１）を所定ピッチで水平方向に平行配置し両面からテープ（２２、２２）で挟持して固定するとともに、露出した外部導体（１３）の両面をグランドプレート（１５、１５）で挟持しハンダ付けしたケーブル組立体（２）を形成し、ハウジング（５）は、上面側とケーブル引出側に開口してケーブル組立体（２）のグランドプレート（１５、１５）を上面側から収容するプレート収容部（５１）と、上面側に開口して前記複数の端子（３）を上面側から収容する端子収容部（５２）と、下面側に開口して相手方コネクタ（４）と下面側から嵌合可能な嵌合部（５３）と、端子収容部（５２）と嵌合部（５３）の第１嵌合凹部（６７）とを連通し端子収容部（５２）に収容された各端子（３）の接触片（３２）を第１嵌合凹部（６７）の所定位置に案内する端子案内孔（５４）とを具備し、シェル（９）は、ハウジング（５）の上面開口側を覆う天板（９１）を具備し、この天板（９１）にケーブル組立体（２）のグランドプレート（１５、１５）に弾性接触する舌片（９４）を形成したことを特徴とする請求項１記載の同軸コネクタ。
【請求項３】
各端子（３）の第１連結片（３３）の長さを同軸ケーブル（１）の直径とほぼ同一長さに形成し、ハウジング（５）の上面とシェル（９）の天板（９１）との間で絶縁板（７）を挟持し、この絶縁板（７）によって各端子（３）の端子相互間、各端子（３）の接続片（３１）と対応する同軸ケーブル（１）の内部導体（１１）との接続部相互間、及びこれらとシェル（９）との間を絶縁したことを特徴とする請求項２記載の同軸コネクタ。
【発明の詳細な説明】
【０００１】
【発明の属する技術分野】
本発明は、携帯電話機のような小型電子機器の基板間接続用に好適な同軸コネクタ（例えば同軸ケーブル用プラグ）に関するものである。特に、導体サイズが４０ＡＷＧのような線径の極めて細い複数本の同軸ケーブル用に好適な同軸コネクタに関するものである。
【０００２】
【従来の技術】
従来、プリント基板やＦＰＣ（フレキシブルプリント基板）の間を接続するために用いられる極細同軸ケーブル用のコネクタは、複数本の極細同軸ケーブルの内部導体、外部導体のそれぞれの端部を、信号側端子、接地側端子の接続片に個別にハンダ付けしていたので、作業工数が増えるとともに、端子間の狭ピッチが困難になるという問題点があった。
【０００３】
このような問題点を解決するため、図１３に示すような同軸コネクタ１００が提案されている。  すなわち、複数本の極細同軸ケーブル１のコネクタ接続側端部から内部導体１１、内部絶縁被覆１２及び外部導体１３を順次露出させ、外部導体１３の両面をグランドプレート１０１、１０１で狭持してハンダ付け固定してケーブル組立体１０３を形成し、このケーブル組立体１０３の内部導体１１をハウジング１０５内に収容保持された端子１０７の接続片１０８にハンダ１１１で接続し、グランドプレート１０１、１０１をハウジング１０５の外周側に取付けられるシェル（図示省略）と接触させる。そして、ハウジング１０５の嵌合部１１３を相手方コネクタ（図示省略、例えばプリント基板に取付けられたコネクタ）の嵌合部へ挿着することによって、接触片１０９を相手方コネクタの対応する接触部と接触させていた（例えば特許文献１参照）。
【０００４】
【特許文献１】
特開２００１−３５７９００号公報（段落番号「０００３」、図１２）
【０００５】
【発明が解決しようとする課題】
しかしながら、図１３に示した同軸コネクタ１００では、極細同軸ケーブル１の外部導体１３をシェル（図示省略）の接触部に接触するための作業工数を減らすとともに、端子１０７間の狭ピッチ化を図ることはできるが、端子１０７が略逆Ｌ字型に形成されていたので、同軸コネクタ１００の高さＨを小さくすること（すなわち低背化すること）が難しいという問題点があった。
すなわち、同軸コネクタ１００の高さＨは、嵌合部１１３の高さＨ１，端子挿入孔１１５の深さＨ２、極細同軸ケーブル１の直径Ｈ３及び絶縁空間１１７の高さＨ４の和以上の寸法となり、高さＨを小さくすることが難しいという問題点があった。また、相手方コネクタとの安定した嵌合及び接触のために最低限必要な高さがあるため、嵌合部１１３の高さＨ１を小さくするには限度があった。
【０００６】
本発明は上述の問題点を鑑みなされたもので、高さＨを小さくすることのできる同軸コネクタを提供することを目的とするものである。
換言すれば、ハウジングに収容保持された端子の一端側に形成された接続片の同軸ケーブル側への延伸方向（Ｘ方向）と他端側に形成された接触片の相手方コネクタへの挿着方向（Ｙ方向）が略直角となる同軸ケーブル用のコネクタにおいて、高さＨを小さくすることを目的とするものである。
【０００７】
【課題を解決するための手段】
請求項１記載の発明は、端子と、この端子を収容保持する絶縁性のハウジングと、このハウジングの外周側に取付けられる導電性のシェルとを具備し、前記端子は、一端側に形成された接続片が同軸ケーブル側へ延伸して内部導体に接続され、他端側に形成された接触片が前記接続片の延伸方向（Ｘ方向）と略直角方向（Ｙ方向）に延伸して相手方コネクタへの挿着時に対応する接触部と接触する同軸コネクタであって、前記端子は、前記接続片と前記接触片の間を順次連結する第１、第２連結片を具備し、前記第１連結片は、前記接続片との連結部から前記接触片の延伸方向（Ｙ方向）と略反対方向に延伸し、前記第２連結片は、前記第１連結片との連結部から前記接続片の延伸方向（Ｘ方向）と略反対方向に延伸していることを特徴とするものである。
【０００８】
上述の構成において、端子の接続片と接触片が第１，第２連結片で順次連結され、第１連結片の接続片との連結部からの延伸方向を接触片の延伸方向（Ｙ方向）と略反対方向としたので、従来の略逆Ｌ字型端子の場合と比較して、第１連結片の長さ分だけコネクタ高さＨを小さくすることができる。例えば、同軸ケーブルの直径Ｈ３と略同一長さ分だけコネクタ高さＨを小さくすることができる。
【０００９】
請求項２記載の発明は、請求項１記載の発明において、ハウジングに収容保持される端子が複数であって、各端子の接続片が複数本の極細同軸ケーブルの対応する内部導体に接続される場合に、これらの極細同軸ケーブルの外部導体をシェルの接触部と接触するための作業工数を減らすとともに、複数の端子間の狭ピッチ化を図るために、複数本の極細同軸ケーブルを所定ピッチで水平方向に平行配置し両面からテープで狭持して固着するとともに、露出した外部導体の両面をグランドプレートで狭持しハンダ付けしてケーブル組立体を形成し、前記ハウジングは、上面側とケーブル引出側に開口して前記ケーブル組立体のグランドプレートを上面側から収容するプレート収容部と、上面側に開口して前記複数の端子を上面側から収容する端子収容部と、下面側に開口して相手方コネクタと下面側から嵌合可能な嵌合部と、前記端子収容部と前記嵌合部の第１嵌合凹部とを連通し、前記端子収容部に収容された各端子の接触片を前記第１嵌合凹部の所定位置に案内する端子案内孔とを具備し、シェルは前記ハウジングの上面開口側を覆う天板を具備し、この天板に、前記ケーブル組立体のグランドプレートに弾性接触する舌片を形成したことを特徴とする。
【００１０】
請求項３記載の発明は、請求項２記載の発明において、低背化と組立容易化を図るために、各端子の第１連結片の長さを極細同軸ケーブルの直径と略同一長さに形成し、ハウジングの上面とシェルの天板との間で絶縁板を狭持し、この絶縁板によって、各端子の端子相互間、各端子の接続片と対応する極細同軸ケーブルの内部導体との接続部相互間、及びこれらと前記シェルとの間を絶縁したことを特徴とするものである。
【００１１】
【発明の実施の形態】
以下、本発明の一実施形態例を図１〜図１２を用いて説明する。
図１〜図４は同軸コネクタプラグ（以下単に同軸コネクタという）１０全体の構成を示すもので、これらの図において、１〜１は同軸ケーブルの一例としての３本の極細同軸ケーブル、２はケーブル組立体、３〜３は端子の一例としての３個の端子、５は絶縁性のハウジング、７は絶縁板、９は導電性のシェルである。
図１において、４は本発明の同軸コネクタ１０と嵌合する相手方コネクタ（例えばプリント基板やＦＰＣに装着されるレセプタクル）である。
【００１２】
３本の極細同軸ケーブル１は、それぞれ導体サイズが４０ＡＷＧの極細同軸ケーブルで形成されている。
ケーブル組立体２は、図４に示すように、３本の極細同軸ケーブル１を所定ピッチ（例えば０．５ｍｍピッチ）で水平方向に平行に配置し、その上下両面を接着テープ２２、２２（後述の図１１で表示する。）で狭持して固定し、各極細同軸ケーブル１の端部から内部導体１１、内部絶縁被覆１２及び外部導体１３を順次露出させ、外部導体１３の上下両面を導電性のグランドプレート１５、１５で狭持しハンダ付けして形成されている。
【００１３】
端子３は、導電性金属板の打ち抜き、折曲加工で形成されたもので、図１及び図４に示すように、略長方形板状に形成された接続片３１と、略矩形板状に形成された接触片３２と、接続片３１と接触片３２を順次連結する第１、第２連結片３３、３４とで形成されている。
接続片３１は、第１連結片３３との連結部から水平にケーブルの接続側である後部方向（図１ではＸ方向）へ延伸し、接触片３２は、第２連結片３４との連結部から垂直に相手方コネクタ４への挿着方向（図１ではＹ方向）へ延伸している。すなわち、接続片３１と接触片３２の延伸方向は略直角となっている。接触片３２の両側部には、係止用の突起３６、３６が形成されている。
第１連結片３３は、接続片３１との連結部から垂直に上方向（図１ではＹ方向と略反対方向）へ延伸した略矩形板状に形成され、その両側部には係止用の突起３５、３５が形成されている。
第２連結片３４は、第１連結片３３との連結部から水平に前部方向（図１ではＸ方向と略反対方向）へ延伸した略長方形板状に形成されている。
【００１４】
ハウジング５は絶縁性の合成樹脂で成形されたもので、その外部輪郭は、図５及び図６にも示すように、前後方向（Ｘ方向）の長さ（例えば約５．８ｍｍ）を左右方向（Ｘ方向及びＹ方向に垂直な方向）の長さ（例えば２．８ｍｍ）の略２倍にするとともに垂直方向（Ｙ方向の長さを小さく（例えば１．２ｍｍ）した低背型の略直方体状に形成されている。
ハウジング５には、上面側と後部側（ケーブル引出側）に開口してケーブル組立体２のグランドプレート１５、１５を上面側から収容するプレート収容部５１と、上面側に開口して３個の端子３を上面側から収容する端子収容部５２と、下面側に開口して相手方コネクタ４と下面側から嵌合可能な嵌合部５３と、端子収容部５２と嵌合部５３を連通し端子収容部５２に収容された各端子３の接触片３２を嵌合部５３の所定位置に案内する端子案内孔５４とが形成されている。
ハウジング５の左右の外側面には、シェル９を固定するための係合爪５５、５５が形成されている。
【００１５】
プレート収容部５１の後部側開口縁部には、収容されたグランドプレート１５、１５が後部側（ケーブル引出側）へ抜けるのを止める抜止突起５６、５６が形成されている。
端子収容部５２は、段差をもってプレート収容部５１に連通する第１端子収容部５７と、段差をもって第１端子収容部５７に連通する第２端子収容部５８とからなっている。
【００１６】
第１端子収容部５７には、左右の両側に位置する第１段部５９、５９と、この第１段部５９、５９の間に位置して仕切壁で３区分された第１収容溝６０〜６０とが形成されている。
第１収容溝６０〜６０は、各端子３の接続片３１を収容するためのもので、その仕切壁の上端面は第１段部５９、５９の段面と略同一高さに形成されている。
第２端子収容部５８には、左右の両側に位置する第２段部６１、６１と、この第２段部６１、６１の間に位置して仕切壁で３区分された第２収容溝６２〜６２とが形成されている。
【００１７】
第２収容溝６２〜６２は端子３の第１、第２連結片３３、３４を収容するためのもので、その仕切壁の上端面は第２段部６１、６１の段面と略同一高さに形成れている。第２段部６１、６１の側面には、絶縁板７の位置決め用の係合凹部６３、６３が形成されている。
第２収容溝６２〜６２の底面は、第１収容溝６０〜６０との連通部から前部へ向けて、始めは第１収容溝６０〜６０の底面と同一高さに形成され、ついで端子３の第１連結片３３に対応する段差だけ高く形成された後に、後述の第１嵌合凹部６７に連通する端子案内孔５４が形成されている。
第２段部６１、６１の段面は第１段部５９、５９の段面より高位置（垂直方向の高い位置）に形成されている。
【００１８】
第２段部６１、６１の前部側には、絶縁板７の位置決め用の係合孔６４、６４が形成され、この係合孔６４、６４の前部側には係合突部６５、６５が形成され、係合孔６４、６４は嵌合部５３に連通している。
ハウジング５の嵌合部５３は、略直方体状の嵌合凸部６６と、この嵌合凸部６６で前部側と後部側に区分された第１、第２嵌合凹部６７、６８とで形成され、嵌合凸部６６の第１嵌合凹部６８側の側面には各端子３の接触片３２を係合する係合溝６９が形成されている。
【００１９】
絶縁板７は絶縁性の合成樹脂で成形されたもので、図７にも示すように、後部側から前部側へ一体に連設して形成された略矩形板状の第１、第２絶縁板７１、７２と、第２絶縁板７２の前部側両側部から前部側へ一体に連設された略矩形板状の係合板７３、７３とで形成されている。
第１絶縁板７１は第２絶縁板７２に対して肉厚に形成され、第２絶縁板７２の両側部にはハウジング５の係合凹部６３、６３に係合する係合凸部７４、７４が突設され、係合板７３、７３はハウジング５の係合孔６４、６４に係合可能な形状に形成され、係合板７３、７３の前部側先端部には、ハウジング５の係合突部６５、６５に係合する係合凹部７５、７５が形成されている。
【００２０】
シェル９は、導電性金属板の打ち抜き、折曲加工で形成されたもので、ハウジング５の上面、左右の側面を覆うように一体に連設された天板９１、側板９２、９２と、ハウジング５の前部側の側面を覆うように側板９２、９２の前部側端部から内側へ向けて一体に折曲形成された前板９３、９３とで形成されている。
天板９１の後部側には、切り起こしによって舌片９４が形成され、この舌片９４は、シェル９をハウジング５に係合固定したときに、プレート収容部５１に収容されたグランドプレート１５、１５に弾性接触する。
側板９２、９２の後部側には、ハウジング５の係合爪５５、５５に係合可能な係合孔９５、９５が形成され、側板９２、９２の前部側には、相手方コネクタ４との嵌合時にその接地側端子４３、４３（後述の図１２にも図示する。）と係合して接触する係合凹部９６、９６が形成されている。
【００２１】
相手方コネクタ４は、図８及び図９にも示すように、絶縁性のハウジング４１と、このハウジング４１に収容保持された信号側端子４２〜４２及び接地側端子４３、４３とで形成されている。
ハウジング４１の中央部には、同軸コネクタ１０の嵌合凸部６６、第１、第２嵌合凹部６７、６８とそれぞれ嵌合可能な嵌合凹部４４、第１、第２嵌合凸部４５、４６とが形成され、信号側端子４２はその係止部４７が第２嵌合凸部４６内に圧入係止され、接触部４８が第１嵌合凸部４５に仕切壁で３区分された端子収容溝４９〜４９の対応する収容溝４９に収容されて先端部８１が嵌合凹部４４に突出し、接続部８２は低面側に露出してプリント基板やＦＰＣに接続される。
接地側端子４３、４３はハウジング４１の左右に立設された側板部８３、８３に係合保持され、その内側部には、同軸コネクタ１０との嵌合時に同軸コネクタ１０の係合凹部９６、９６と弾性接触可能なバネ部８４、８４が突設されている。
【００２２】
つぎに、図１〜図４に示す同軸コネクタ１０の組立について、図４、図１０及び図１１を併用して説明する。
【００２３】
（１）３本の極細同軸ケーブル１の端部から内部導体１１、内部絶縁被覆１２及び外部導体１３を順次露出させ、各極細同軸ケーブル１を図４に示すように０．５ｍｍピッチで水平方向に平行に配置し、その上下両面を図１１に示すように接着テープ２２、２２で狭持して接着剤２３で固定し、これらの外部導体１３の上下両面を図４に示すようにグランドプレート１５、１５で狭持しハンダ（図示省略）付けしてケーブル組立体２を形成する。
このケーブル組立体２の形成は、前述のように外部導体１３を露出させた後に各極細同軸ケーブル１の上下両面を接着テープ２２、２２で固定し、外部導体１３の上下両面をグランドプレート１５、１５で狭持しハンダ付けする場合に限るものではない。例えば、３本の極細同軸ケーブル１の上下両面を接着テープ２２、２２で固定した後にレーザ光の照射などで外部導体１３を露出させ、これらの外部導体１３の上下両面をグランドプレート１５、１５で狭持しハンダ付けしてケーブル組立体２を形成するようにしてもよい。
【００２４】
（２）３個の端子３を図４（図では図示の便宜上１個のみ表示する。）に示すようにハウジング５の端子収容部５２に上面側から圧入する。詳しくは、端子３の接続片３１、第１、第２連結片３３、３４及び接触片３２をハウジング５の第１端子収容部５７、第２端子収容部５８に圧入し、接続片３１、第１、第２連結片３３、３４を第１収容溝６０〜６０、第２収容溝６２〜６２に収容するとともに、接触片３２を端子案内孔５４に案内して嵌合凸部６６の係合溝６９収容する。このとき、端子３の突起３５、３５、３６、３６が第２収容溝６２〜６２、係合溝６９の内壁に食い込み、端子３がハウジング５に係止される。
【００２５】
（３）ついで、図４及び図１０（ａ）に矢印で示すように、前記（１）で組み立てられたケーブル組立体２のグランドプレート１５、１５をハウジング５のプレート収容部５１に収容し、各極細同軸ケーブル１の内部導体１１を対応する端子３の接続片３１にハンダ付けする（ハンダは図示省略）。
【００２６】
（４）ついで、図４及び図１０（ｂ）に矢印で示すように、ハウジング５の端子収容部５２の上部であって、この端子収容部５２に収容された端子３〜３の上面側に絶縁板７を嵌め込む。詳しくは、絶縁板７の係合凸部７４、７４、係合板７３、７３の前部側、係合凹部７５、７５のそれぞれを、ハウジング５の対応する係合凹部６３、６３、係合孔６４、６４、係合突部６５、６５に係合して位置決めしつつ、ハウジング５の端子収容部５２に収容された端子３〜３の上面側に絶縁板７を嵌め込む。
【００２７】
（５）ついで、図４及び図１０（ｃ）に矢印で示すように、ハウジング５の前部側からシェル９を嵌め込み、シェル９をハウジング５の外周側に固定する。詳しくは、シェル９のハウジング５への嵌め込みが進み、シェル９の前板９３、９３がハウジング５の前部側面に当接すると、シェル９の係合孔９５、９５にハウジング５の係合爪５５、５５が係合し、シェル９がハウジング５の外周側に固定する。
この固定時には、シェル９の舌片９４がケーブル組立体２のグランドプレート１５に弾性接触し、極細同軸ケーブル１〜１の外部導体１３〜１３がシェル９と電気的に接続する。
以上のようにして、図１１に示すような、ケーブル組立体２の両端に同軸コネクタ１０、１０が接続されたケーブル組立部品が形成される。
【００２８】
つぎに、図１１に示すようなケーブル組立部品の同軸コネクタ１０の相手方コネクタ４への挿着について、図１及び図１２を併用して説明する。
同軸コネクタ１０の嵌合部５３を図１のＹ方向に移動して相手方コネクタ４の対応する嵌合部に嵌合することにより、図１２に示すように同軸コネクタ１０が相手方コネクタ４へ挿着される。詳しくは、同軸コネクタ１０の嵌合凸部６６、第１、第２嵌合凹部６７、６８と相手方コネクタ４の対応する嵌合凹部４４、第１、第２嵌合凸部４５、４６を嵌合することにより、信号側端子４２〜４２の接触部４８〜４８の先端部８１〜８１が端子３〜３の接触片３２〜３２に弾性接触するとともに、接地側端子４３、４３のバネ部８４、８４がシェル９の係合凹部９６、９６に弾性接触しつつ係合する。
このため、ケーブル組立体２の極細同軸ケーブル１〜１は、その内部導体１１〜１１が端子３〜３を経、信号側端子４２〜４２を介してプリント基板（又はＦＰＣ）の信号側パターンに電気的に接続し、その外部導体１３〜１３がグランドプレート１５、１５及びシェル９を経、接地側端子４３、４３を介してプリント基板の接地側パターンに電気的に接続する。
【００２９】
前期実施形態例では、低背化と組立容易化を図るために、端子３の第１連結片３３の長さを極細同軸ケーブル１の直径と略同一長さに形成し、ハウジング５の上面とシェル９の天板９１との間で絶縁板７を狭持し、この絶縁板７によって各部間を絶縁する場合について説明したが、本発明はこれに限るものではない。例えば、端子３の第１連結片３３の長さを極細同軸ケーブル１の直径より大きくした場合や、絶縁板７を省略した場合についても利用することができる。
【００３０】
前期実施形態例では、同軸ケーブルが導体サイズ４２ＡＷＧの複数本の極細同軸ケーブル１〜１の場合に、これらの極細同軸ケーブル１〜１の外部導体１３〜１３をシェル９の舌片（接触部）９４と接触するための作業工数を減らすとともに、複数の端子３〜３間の狭ピッチ化を図るために、ケーブル組立体２を形成し、ハウジング５がケーブル組立体２のグランドプレート１５、１５を収容するプレート収容部５１と、端子３〜３を収容する端子収容部５２と、相手方コネクタ４の嵌合部と嵌合する嵌合部５３とを具備し、シェル９がケーブル組立体２のグランドプレート１５、１５に弾性接触する舌片９４を具備する場合について説明したが、本発明はこれに限るものではない。例えば、導体サイズが４２ＡＷＧ以外の極細同軸ケーブルや細線同軸ケーブルの場合についても利用することができる。
【００３１】
【発明の効果】
請求項１記載の発明は、端子（３）、ハウジング（５）及びシェル（９）を具備し、端子（３）は、接続片（３１）が同軸ケーブル（１）側へ延伸して対応する内部導体（１１）に接続され、接触片（３２）が接続片（３１）の延伸方向（Ｘ方向）と略直角方向（Ｙ方向）に延伸して相手方コネクタ（４）への挿着時に対応接触部（４８）と接触する同軸コネクタ（１０）において、端子（３）の接続片（３１）と接触片（３２）が第１、第２連結片（３３、３４）で順次連結され、第１連結片（３３）の接続片（３１）との連結部からの延伸方向を接触片（３２）の延伸方向（Ｙ方向）と略反対方向としたので、端子が略逆Ｌ字型の従来例（例えば図１３の例）と比べて、第１連結片（３３）の長さ分だけコネクタ高さを小さくすることができる。例えば同軸ケーブル（１）の直径Ｈ３と略同一長さ分だけ低背化することができる。
【００３２】
請求項２記載の発明は、請求項１記載の発明において、ハウジング（５）に収容保持される端子（３）が複数であって、各端子（３）の接続片（３１）が複数本の極細の同軸ケーブル（１）の対応する内部導体（１１）に接続される場合に、この複数本の極細同軸ケーブル（１）を所定ピッチで水平方向に平行配置するとともに、各極細同軸ケーブル（１）の端部から露出した外部導体（１３）の両面をグランドプレート（１５、１５）で狭持してケーブル組立体（２）を形成し、ハウジング（５）がプレート収容部（５１）、端子収容部（５２）、嵌合部（５３）、端子案内孔（５４）及び第１嵌合凹部（６７）を具備し、シェル（９）が天板（９１）を具備し、この天板（９１）にケーブル組立体（２）のグランドプレート（１５、１５）に弾性接触する舌片（９４）を形成したので、同軸ケーブルが複数の極細同軸ケーブルの場合に、複数本の極細同軸ケーブル（１）の外部導体（１３）をシェル（９）の接触部（舌片９４）と接触するための作業工数を減らすとともに、複数の端子（３）間の狭ピッチ化を図ることができる。
【００３３】
請求項３記載の発明は、請求項２記載の発明において、各端子（３）の第１連結片（３３）の長さを極細同軸ケーブル（１）の直径と略同一長さに形成し、ハウジング（５）の上面とシェル（９）の天板（９１）との間で絶縁板（７）を狭持し、この絶縁板（７）によって各部間を絶縁するようにしたので、さらに低背化と組立容易化を図ることができる。
【図面の簡単な説明】
【図１】本発明による同軸コネクタ１０の一実施形態例を示す図２（ａ）のＡ−Ａ線拡大断面図を、相手方コネクタ４の断面図とともに示す図である。
【図２】本発明による同軸コネクタ１０の一実施形態例を示す図で、（ａ）は平面図、（ｂ）は側面図、（ｃ）は底面図である。
【図３】図２の同軸コネクタ１０を示す図で、（ａ）は後面図、（ｂ）は正面図である。
【図４】図１中の同軸コネクタ１０の分解斜視図で、一部の図示を省略した図である。
【図５】図１〜図４中のハウジング５を示す図で、（ａ）は平面図、（ｂ）は側面図、（ｃ）は底面図である。
【図６】ハウジング５の後面図、正面図、断面図を示す図で、（ａ）は後面図、（ｂ）は正面図、（ｃ）は図５（ａ）のＡ−Ａ線断面図である。
【図７】図１、図４中の絶縁板７を示す図で、（ａ）は平面図、（ｂ）は後面図、（ｃ）は正面図、（ｄ）は（ａ）のＡ−Ａ線断面図である。
【図８】図１中の相手方コネクタ４を示す平面図である。
【図９】図８の断面図を示す図で、（ａ）はＡ−Ａ線断面図、（ｂ）はＢーＢ線断面図である。
【図１０】図１中の同軸コネクタ１０の組立て順序を示す説明図である。
【図１１】図１０で組立てられたケーブル組立部品を示す図で、（ａ）は平面図、（ｂ）は側面図、（ｃ）は（ａ）のＡ−Ａ線断面図である。
【図１２】図１の同軸コネクタ１０を相手方コネクタ４に挿着（嵌合）した状態を示す断面図で、（ａ）は縦断面図、（ｂ）は（ａ）のＡ−Ａ線断面図である。
【図１３】従来例を示す断面図である。
【符号の説明】
１…極細同軸ケーブル（同軸ケーブルの一例）、  １１…内部導体、  １３…外部導体、  １５…グランドプレート、  ２…ケーブル組立体、  ３…端子、  ３１…接続片、  ３２…接触片、  ３３…第１連結片、  ３４…第２連結片、  ４…相手方コネクタ、  ４２…信号側端子、  ４３…接地側端子、  ５…ハウジング、  ５１…プレート収容部、  ５２…端子収容部、  ５３…嵌合部、  ５４…端子案内孔、  ６７…第１嵌合凹部、  ７…絶縁板、  ９…シェル、  ９１…天板、  ９４…舌片、  １０…同軸コネクタ、  Ｘ…接続片３１の延伸方向、  Ｙ…接触片３２の相手方コネクタ４への挿着方向。
【図１】
2004259672.tif 000003
【図２】
2004259672.tif 000004
【図３】
2004259672.tif 000005
【図４】
2004259672.tif 000006
【図５】
2004259672.tif 000007
【図６】
2004259672.tif 000008
【図７】
2004259672.tif 000009
【図８】
2004259672.tif 000010
【図９】
2004259672.tif 000011
【図１０】
2004259672.tif 000012
【図１１】
2004259672.tif 000013
【図１２】
2004259672.tif 000014
【図１３】
2004259672.tif 000015